Podtech/llm-jp-corpus-v4-ja_patent huggingface dataset:
(57)【要約】      （修正有）【課題】極微量の尿、分泌物等による下着の汚れを防止するための男性用ナプキンを提供する。【解決手段】本発明は、極微量の尿、分泌物等を吸収し、水に溶けやすい、便器に流せる水溶性の素材を使用下本体１。男性性器から脱落しないよう固定用ベルト２を付け、便器に流すために水溶性の糊を施す。現在、男性用トイレには、汚物入れが置かれていないため、流せることにより、どこのトイレでも使えることができる。さらには、携帯できる程度の小さく、うすいことが使用者に負担にならず、非常に低価格で製造できるために一般化する効果が得られる。【選択図】図１
2007319628.tif 000002
【特許請求の範囲】
【請求項１】
男性用性器ナプキンとして、従来品のほとんどが厚く大型である。健康な男性が装着後、歩く、立つ、座る等の一般生活上の動作には不適であった。そのため、装着後の違和感等ないように小さく、うすく小型化にするものである。
【請求項２】
健康な男性が、一般生活上において使用する際、大きいことによる持ち運びの不便さ、携帯しづらさがあった。必要時にポケットから出せる事が出来ない。そのため、携帯できる、ポケットに入る程度の小さなサイズにしたもの。
【請求項３】
使用後の処理としては、現在女性のトイレに設置されてる汚物入れは、男性トイレには置かれていない。そのため、トイレットペーパー感覚で便器に流せるもので本体部は、通気性に富んだ溶けやすい素材を使用。また、固定ベルトの糊の材質も水溶性の糊を使用し、全素材を１００％水溶性のものとした。
【請求項４】
大型であるための材料の多さ、製造上での加工手間、送料、在庫、販売等すべてに価格の下げにくい要因があった。小さく小型化を追求し、素材も特殊な物を使用しない等で、大幅に低価格を実現できる。
【発明の詳細な説明】
【技術分野】
【０００１】  本発明は、日常生活に影響を及ぼさない程度の極微量の尿、分泌物等による下着の汚れを防止するための男性用ナプキンに関する。
【背景技術】
【０００２】  従来の男性用衛生用品は、尿吸収パッド、紙オムツ等で多量の尿を吸収することが目的とされている。そのため、大型である。且つ、高価で極微量の滲みる程度に使用するのには適さなかった。また、使用後の処分に大変不便であった。【０００３】
【特許文献１】  特許公開  ２００２−２８２２９２
【発明の開示】
【発明が解決しようとする課題】
【０００４】  以上に述べた従来の男性用衛生用品は、尿、便等の排せつの調整が難しい病気がちな男性の使用を目的としている。そのために、非常に大型で一般生活の行動に適さなかった。【０００５】  本発明は、従来の有していた問題を解決しようとするものであり、一般の健康な男性が滲みる程度の極微量の尿、分泌物のもれ等による下着の汚れの防止を実現することを目的とするものである。
【課題を解決するための手段】
【０００６】  本発明は、極微量の尿、分泌物を吸収するために、トイレに流せる素材のシートを使用。男性性器から脱落しない、下着の汚れを防止するために水に解ける水溶性の糊付きベルトを設ける。また、小さくうすく装着時に違和感もほとんどなく、一般生活の行動に何ら支障をきたさない。小さくうすいため携帯しやすい。
【発明の効果】
【０００７】  上述したように本発明の男性用ナプキンは、一般の健康な男性が日常生活において、快適に過ごすことを発揮する。且つ、女性用のナプキンは、未だに流すことは無理だが、本男性用ナプキンを流せることにより、どこのトイレでも使える効果を発揮する。また、使用者が携帯できる程度の小ささ、薄さで提供できる。小さく、高価な素材を使用しないため、低価格で製造できることにより、一般男性が購入しやすい。
【発明を実施するための最良の形態】
【０００８】  以下、本発明の実施形態を図に基づいて説明する。
図においては、１は本体上部であり、３は本体下部である。図３の本体下部に２の固定ベルトをもうけ水溶性の糊が施してある。１本体上部が下着と接する側になる。装着すると図７のようになる。【０００９】  本発明は、上述の構成からなるものであるから、極微量の尿の吸収として用いることは勿論であるが、尿以外の分泌物の吸収用として用いることにより、若い男性にも下着を汚さない等の効果に役立つ。【００１０】  男性トイレには、女性トイレのように汚物入れの設置がされていない。本男性用ナプキンを流せることにより、どこのトイレでも使える効果を発揮する。また、使用者が携帯できる程度の小ささ、薄さで提供できる。
【図面の簡単な説明】
【００１１】
【図１】本発明の実施形態を示す全体図
【図２】本体の上部分図
【図３】本体の下部分図
【図４】本体装着途中断面図
【図５】本体装着途中断面図
【図６】本体装着断面図
【図７】本体装着側面図
【符号の説明】
【００１２】  １    本体上部
１ａ  縫い目
１ｂ  合わせ目
２    固定用ベルト
２ａ  のりしろ
３    本体下部
４    男性性器
【図１】
2007319628.tif 000003
【図２】
2007319628.tif 000004
【図３】
2007319628.tif 000005
【図４】
2007319628.tif 000006
【図５】
2007319628.tif 000007
【図６】
2007319628.tif 000008
【図７】
2007319628.tif 000009
(57)【要約】【課題】  杖の使用時に杖と装飾カバーが両面から固定されずり落ちることなく、杖中央部を掴んで加重をかけても装飾カバーがずれることのない安全な固定方法を提供する。【解決手段】  杖の支柱の上下部と装飾カバーの裏地の上下部及び全面に滑り止め機能を有することを特徴とする杖用装飾カバーの固定方法。【選択図】図３
2007319636.tif 000002
【特許請求の範囲】
【請求項１】
杖の支柱の上下部と装飾カバーの裏地の上下部及び全面に滑り止め機能を有することを特徴とする杖用装飾カバーの固定方法。
【発明の詳細な説明】
【技術分野】
【０００１】  本発明は、杖の支柱側面及び装飾カバー内面との両側より固定する機能を有することを特徴とする、杖用装飾カバーの固定方法に関するものである。
【背景技術】
【０００２】  従来、装飾カバーの内側の一部に滑り止めが取り付けられたものがある。
【特許文献１】
【発明の開示】
【発明が解決しようとする課題】
【０００３】    そのために次のような問題点があった。
（イ）従来の方法では身体のバランスを崩し杖支柱に取り付けられた装飾カバーを掴んで加重をかけた時にずれが生じた。
（ロ）従来の方法では装飾カバーを取り付けてもたるみが生じ見栄えに問題があった。
（ハ）従来の方法では装飾カバーを取り付ける際に締め付けベルトを強力に締める必要が生じた。
本発明は、以上の問題点を解決しようとするものである。
【課題を解決するための手段】
【０００４】  杖の支柱の上下部と装飾カバーの裏生地の上下部及び全面に滑り止め機能を有することを特徴とする杖用装飾カバーの固定方法である。
【発明の効果】
【０００５】  本発明は、杖と装飾カバーの両方から面ファスナーまたは高粘着性樹脂テープを接合するので簡単かつ安全に取り付け固定することができる。
また、面ファスナーまたは高粘着性樹脂テープの接合によりお年寄りや障害者・握力の弱い方でも容易に装着取り外しができ、装飾カバーの取り付けの緩みによるずれ落ちも生じない。
身体のバランスを崩したときに杖の支柱部分を掴んでも装飾カバーの裏生地の滑り止め機能があるので安全に掴める。
【発明を実施するための最良の形態】
【０００６】  以下、本発明の実施の形態を説明する。
（イ）杖の支柱（１）の上下部に雄面ファスナーまたは高粘着性樹脂テープ（２）を設ける。
（ロ）装飾カバーの裏地（３）の上下部に雌面ファスナー（４）を設ける。
（ロ）装飾カバーの表地（５）の上下部に締め付けベルト（６）と折り返し用リング（７）と締め付け用リング（８）を設ける。
（ハ）装飾カバーの裏地（３）は樹脂コーティングまたは樹脂ラミネート等の滑り止め加工を施したものを使用する。
本発明は以上の構成よりなっている。
本発明を使用するときは、杖の下部より装飾カバーを杖中部に挿入し、杖の支柱（１）の上下部にある雄面ファスナーまたは高粘着性樹脂テープ（２）と装飾カバーの裏地（３）の上下部にある雌面ファスナー（４）を接合する。装飾カバーの表地の上下部にある折り返しリング（７）と締め付けリング（８）に締め付けベルト（６）を通し、締め付けベルト（６）を締める。
締め付けベルト（６）を締め付けることにより杖の支柱（１）の上下部に設けられた雄面ファスナーまたは高粘着性樹脂テープ（２）と装飾カバーの裏地（３）の上下部に設けられた雌面ファスナー（４）が接合され固定されることによって装飾カバーのずれ落ちを防止する。
【図面の簡単な説明】
【０００７】
【図１】本発明の杖支柱の展開図
【図２】本発明の装飾カバー裏地の展開図
【図３】本発明の装飾カバーの詳細図
【図４】本発明の使用状態を示す図
【符号の説明】
【０００８】    １杖の支柱
２雄面ファスナーまたは高粘着性樹脂テープ
３装飾カバーの裏地
４雌面ファスナー
５装飾カバーの表地
６締め付けベルト
７折り返しリング
８締め付けリング
【図１】
2007319636.tif 000003
【図２】
2007319636.tif 000004
【図３】
2007319636.tif 000005
【図４】
2007319636.tif 000006
(57)【要約】【課題】使い残した口紅を再利用するための容器を提供する。【解決手段】ヒンジを介して係止可能な開閉する二つの半筒体の縁部を合わせ、、円筒体を形成し、上端部にロート状の受け部を設け、円筒体の下端外側にスカート状の台座を設け、半円筒下端内側に半円盤状の底部を設けた事を特徴とする、口紅再利用容器。【選択図】図４
2007319632.tif 000002
【特許請求の範囲】
【請求項１】
ヒンジを介して係止可能な開閉する二つの半筒体の縁部を合わせ、円筒体を形成し、当該円筒体上端部にロート状の受け部と、下端外側にスカート状の台座を設け、前記半円筒体下端内側に半円盤状の底部を設けた事を特徴とする、口紅再利用容器。
【発明の詳細な説明】
【技術分野】
【０００１】  本発明は、使い残した市販の口紅の中身を集めて溶かし、固めて再利用するための口紅再生容器に関するものである。
【背景技術】
【０００２】  従来、円筒型の口紅は、紅筆で底のほうまで探らないと、最後まで使い切る事はできなかった。
【発明の開示】
【発明が解決しようとする課題】
【０００３】  それには次のような問題点があった。
（イ）口紅を使う時、紅筆のキャップを開ける手間がかかり、時間がかかった。
（ロ）まだ中身が入っているのに、買ったばかりの時と使いやすさが全く違ってしまった。
本発明は、以上の問題点を解決するためのものである。
【課題を解決するための手段】
【０００４】  まだ中身の残っている何個かの口紅から、中身を取り出して、専用の容器に入れ替え、鍋で湯煎して溶かし、冷まして固める。
【発明の効果】
【０００５】  口紅の中身だけを数個分集めて、新しい口紅と同様の形に仕上がるので、使い易い。
市販の口紅のケースに入れるので、無駄がなく、経済的である。
【発明を実施するための最良の形態】
【０００６】  以下、本発明の実施の形態について説明する。
（イ）耐熱素材から成る、二つの半筒体（１ａ）、（１ｂ）を、ヒンジ（４）で連結し、対向させ、縁部（７）、（７）を合わせる事により、円筒状の容器（１）を形成する。
（ロ）容器（１）の上縁部に、ロート状の受け部（２）を設け、下端部の外側に、スカート状の台座（３）を設ける。
（ハ）半円筒体（１ａ、１ｂ）の下端内側に半楕円状の傾斜面（６）を形成する。
（ニ）容器の縁部に係止部（５）を設ける。
（ホ）軸（８）の上部に半月状のヘラ（８ａ）を設け、下部に円筒（１）の内径に適合させる短円柱の、押し込み部（８ｂ）を設ける。
本発明は、以上の構成から成る。
これを使用する時は、ヘラ部分（８ａ）で、使い残した市販の口紅の中身をそぎ取る。
集めた口紅の中身を容器（１）に入れて、押し込み部（８ｂ）で押し込み、鍋で湯煎する。
鍋から容器（１）を取り出して、冷蔵庫で１時間冷やす。
冷蔵庫から容器（１）を取り出して、中身を市販の容器に戻し入れる。
【図面の簡単な説明】
【０００７】
【図１】本発明の本体の閉じた状態の斜視図
【図２】本発明の本体の開いた状態の斜視図
【図３】本発明の付属部品の斜視図
【図４】本発明の本体に付属部品を押し込んだ状態の斜視図
【図５】本発明を使用した状態の斜視図
【符号の説明】
【０００８】  １    容器                        ６    傾斜面
１ａ、１ｂ  半筒体                ７    縁部
２    受け部                      ８    軸
３    台座                        ８ａ  ヘラ
４    ヒンジ                      ８ｂ  押し込み部
５    係止部
【図１】
2007319632.tif 000003
【図２】
2007319632.tif 000004
【図３】
2007319632.tif 000005
【図４】
2007319632.tif 000006
【図５】
2007319632.tif 000007
(57)【要約】【課題】  本発明は調理を行う際に、さい箸を他の調理具に持ち替えなくても調理できる調理具を得るにある。【解決手段】  スプ−ン、フォ−ク、ナイフ、泡立て器、フライ返し、マドラ−等の食卓調理補助具の作用部と、該作用部に設けられ任意のさい箸の握り手側端部に着脱する着脱部にて構成している。【選択図】図１
2007319635.tif 000002
【特許請求の範囲】
【請求項１】
スプ−ン、フォ−ク、ナイフ、泡立て器、フライ返し、マドラ−等の食卓調理補助具の作用部と、該作用部に設けられ任意のさい箸の握り手側端部に着脱する着脱部からなることを特徴とする調理補助具。
【請求項２】
スプ−ン、フォ−ク、ナイフ、泡立て器、フライ返し、マドラ−等の食卓調理補助具の作用部と、該作用部に設けられ異なる任意のさい箸の握り手側端部に着脱でき、ねじ、ゴムリング、スリット等の寸法調整機能を持った着脱部からなることを特徴とする調理補助具。
【発明の詳細な説明】
【技術分野】
【０００１】  本発明は調理補助具に関する。
【背景技術】
【０００２】  従来の調理補助具はさい箸本体のみで構成されている。
【発明の開示】
【発明が解決しようとする課題】
【０００３】  従来の調理補助具はさい箸本体のみで構成されているため、調理をする際に、さい箸をスプ−ンやフライ返し等に持ち替えて調理をしなければならないという欠点があった。
本発明は以上のような従来の欠点に鑑み、調理をする際に、さい箸を他の調理器具に持ち替えなくてもよい調理補助具を提供することを目的としている。【０００４】  本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】  上記目的を達成するために、スプ−ン、フォ−ク、ナイフ、泡立て器、フライ返し、マドラ−等の食卓調理補助具の作用部と、該作用部に設けられ任意のさい箸の握り手側端部に着脱する着脱部とより構成している。
【発明の効果】
【０００６】  以上の説明から明らかなように、本発明にあっては次に列挙する効果が得られる。
（１）スプ−ン、フォ−ク、ナイフ、泡立て器、フライ返し、マドラ−等の食卓調理補助具の作用部と、該作用部に設けられ任意のさい箸の握り手側端部に着脱する着脱部とで構成されているので、他の調理具に持ち替えなくてもスム−ズに調理することができる。
したがって、効率よく料理を作ることができ、調理時間を短縮することができる。【０００７】（２）前記（１）により、作用部とさい箸を別個に製造することができる。
したがって、さい箸は作用部ごとに何種類も製造する必要がなく、製造が容易であり、コストを安く抑えることができる。【０００８】（３）前記（２）により、任意のさい箸に該作用部を容易に取付けることができる。【０００９】（４）請求項２についても（１）〜（３）の効果が得られると共に、スプ−ン、フォ−ク、ナイフ、泡立て器、フライ返し、マドラ−等の食卓調理補助具の作用部と、該作用部に設けられ異なる任意のさい箸の握り手側端部に着脱できる寸法調整機能を持った着脱部とで構成されているので、既存の外径の異なるさい箸に該作用部を容易に取付けることができる。
【発明を実施するための最良の形態】
【００１０】  以下、図面に示す本発明を実施するための最良の形態により、本発明を詳細に説明する。【００１１】  図１ないし図２の本発明を実施する最良の形態において、１は作用部で、３はさい箸本体である。着脱部２で作用部１とさい箸本体３を結合している。【００１２】  上記構成の調理補助具はさい箸本体に食卓調理補助具の作用部が取付けられているため、さい箸を他の調理補助具に持ち変える必要がなく、スム−ズに調理をすることができる。
｛発明を実施するための異なる形態｝【００１３】  次に、図４ないし図５に示す本発明を実施するための異なる形態につき説明する。なお、これらの本発明を実施するための異なる形態の説明に当って、前記本発明を実施するための最良の第１の形態と同一構成部分には同一記号を付して重複する説明を省略する。【００１４】  図５ないし図５に示す本発明を実施するための第２の形態において、前記本発明を実施するための最良の第１の形態と主に異なる点は、着脱部２に寸法調整機能５を追加した点で、このように構成した調理補助具にすることにより、前記本発明を実施するための最良の第１の形態と同様な作用効果が得られるとともに、既存のさい箸３Ａに食卓調理補助具の作用部を取付けることができる。
【産業上の利用可能性】
【００１５】  本発明は調理補助具を製造する産業で利用される。
【図面の簡単な説明】
【００１６】
【図１】本発明を実施するための最良の第１の形態の平面図。
【図２】本発明を実施するための最良の第１の形態の断面図。
【図３】本発明の使用状態の説明図。
【図４】本発明を実施するための第２の形態の断面図。
【図５】本発明を実施するための第２の形態の斜視部分断面図。
【図６】本発明を実施するための第２の形態の断面図。
【図７】本発明を実施するための第２の形態の斜視図。
【図８】本発明を実施するための第２の形態の斜視図。
【符号の説明】
【００１７】１；１ａ；１ｂ作用部
２着脱部
３；３ａさい箸
４手
５ゴムリング
６ねじ
７スリット
【図１】
2007319635.tif 000003
【図２】
2007319635.tif 000004
【図３】
2007319635.tif 000005
【図４】
2007319635.tif 000006
【図５】
2007319635.tif 000007
【図６】
2007319635.tif 000008
【図７】
2007319635.tif 000009
【図８】
2007319635.tif 000010
(57)【要約】      （修正有）【課題】指輪本体にセットされた宝飾石を簡単に宝飾石を交換できる嵌め込み型宝飾石着脱機能指輪を提供するものである。【解決手段】外部石座２の内型と内部石座４の外型は間隙なく接することで内部石座が固定されている。指輪本体の宝飾石５は、外部石座と内部石座のつくる空間におさめられており、宝飾石を下方から内部石座が支持している。外部石座上部表面に露出している内部石座の２点７を押すか、宝飾石を見せる穴より直接宝飾石を押すことにより内部石座を下方に押し出し抜き取り宝飾石を外すことができる。通常、宝飾石がセットされた状態では内部石座が固定されているので宝飾石が外れることがなく、指輪を着用している時は、指輪に差し込まれた指が内部石座を押しているのでこれもまた抜ける事はない。【選択図】図１
2007319637.tif 000002
【特許請求の範囲】
【請求項１】
指輪の腕に直結している外部石座の内型に内部石座の外型が間隙なく入ることにより内部の石座が固定される。このことを利用し宝飾石をセットする。外部石座の上部表面に露出している内部石座の２点を押す、もしくは石を見せる穴から直接石本体を押すことで石を支持している内部石座を下方に押し出して抜き取ることによって宝飾石を容易に取り出すことが可能な嵌め込み型宝飾石着脱機能指輪。
【発明の詳細な説明】
【技術分野】
【０００１】  この発明は、指輪上部にある石座が外部石座と内部石座の組み合わせにより２つの石座のつくる空間に宝飾石を収めるものである。宝飾石を下から支持している内部石座を下方に抜き取ることにより宝飾石を容易に取り出すことが可能な嵌め込み型宝飾石着脱機能指輪である。
【背景技術】
【０００２】  装身具に開閉自在の蓋付きボックスをつけボックスの底面と蓋の一部分を留金でとめさせ対面部分に蓋の開きをとじるための留金を設けたものはあるが、従来の構造を含め、指輪上部にある石座が外部石座と内部石座の組み合せで宝飾石をセットし、内部石座を外すことで宝飾石を取り出せる嵌め込み型宝飾石着脱機能指輪は無かった。
【発明の開示】
【発明が解決しようとする課題】
【０００３】  本来、指輪本体にセットされている宝飾石は、他の石と容易に交換することができない。
つまり、指輪本体にセットされた宝飾石は取り外すことを考えて造られていない。
そのため、別の宝飾石と交換して楽しむことができない。
本発明は、これを解決するために考えられた嵌め込み型宝飾石着脱機能指輪である。
【課題を解決するための手段】
【０００４】  指輪の腕に直結している外部石座の内型と、宝飾石を下から支持している内部石座の外型は間隙なく接することで内部石座が固定される。この事を利用し、外部石座と内部石座に宝飾石が収まる空間に宝飾石をセットする。指輪を着用しない時もこの内部石座は固定されているので宝飾石が外れることもなく、指輪を着用している時は内部石座は差し込まれた指によってこれも抜けることはない。宝飾石を取り出す時は指輪の外部石座上部に露出している内部石座の２点を押すか、宝飾石を見せる穴から直接宝飾石を押すことにより内部石座を下方に押し出し、抜き取る事により宝飾石を容易に取り出すことが可能になる。
【発明の効果】
【０００５】  外部石座と内部石座の組み合せで宝飾石をセットし内部石座を下方に抜き取ることで簡単に宝飾石を交換でき、実際に宝飾石だけを手に取る事もできるこれまでに無い宝飾品の楽しみ方が可能な嵌め込み型宝飾石着脱機能指輪である。
【発明を実施するための最良の形態】
【０００６】  本発明は、指輪の腕（１）に直結している外部石座（２）この石座の上部表面は宝飾石を見せる穴（３）を有する。外部石座（２）と内部石座（４）の組み合わせにより２つの石座のつくる空間に宝飾石（５）を収めるものである。
外部石座（２）と内部石座（４）の組み合わせ  すなわち、外部石座（２）の内型と内部石座（４）の外型は間隙なく接することで内部石座（４）が固定される。この事を利用し各石座は固定され宝飾石（５）がセットされる。
尚、宝飾石（５）の縁が入る溝（６）は内部石座（４）と外部石座（２）の両方もしくは片方に有するものとする。
また、宝飾石（５）を取り出す時、外部石座（２）の上部表面に露出している内部石座（４）の２点（７）か、宝飾石を見せる穴（３）から直接宝飾石（５）押すことにより内部石座（４）を下方に押し出し宝飾石（５）を抜き取ることができる。
宝飾石（５）を指輪におさめる時は、逆の手順でやれば簡単にできる。
【図面の簡単な説明】
【０００７】
【図１】  本発明の宝飾石がセットされた状態の正面断面図
【図２】  本発明の内部石座が下方に押し出され宝飾石を外せる状態の正面断面図
【図３】  本発明の内部石座が下方に押し出された状態の斜視断面図
【符号の説明】
【０００８】  １  指輪の腕
２  外部石座
３  宝飾石を見せる穴
４  内部石座
５  宝飾石
６  宝飾石の縁が入る溝
７  内部石座の２点
【図１】
2007319637.tif 000003
【図２】
2007319637.tif 000004
【図３】
2007319637.tif 000005
(57)【要約】【課題】  本発明は歯茎を丈夫にする為、簡単かつ手軽に習慣化する事を可能にした。【解決手段】  本発明品は、歯ブラシの使用方法と同じく対象とする物が歯と歯茎の違いなので、歯磨きの前に歯茎マッサージをする事は容易である。マッサージする材質は哺乳瓶の乳首部分と同じシリコーンゴムの為、接触がやさしく適度な摩擦で傷つける事もなく使用後は水洗いで２〜３回振って手水分を落とせば非常に簡単に乾燥するので衛生的である。保管も歯ブラシと一緒にできる。【選択図】図１
2007319631.tif 000002
【特許請求の範囲】
【請求項１】
哺乳瓶の乳首に使用するシリコンゴムでの土台と突起物。尚硬さは限定しない。最低３種類の硬度が必要。
【請求項２】
上下同時にマッサージ出来るサイズ。
【請求項３】
上下別にマッサージ出来るサイズ。
【請求項４】
突起物の先端に丸味をつけた。
【請求項５】
上下マッサージ用は中央が抉れている依って横中央断面は全てコンケーブ状。
【請求項６】
上下別にマッサージ出来るサイズは横からのみコンケーブ状である。
【請求項７】
ブラシの柄の部分は屈曲し柔軟な物から硬質なものまで２種類以上必要。
【請求項８】
上下同時に出来るマッサージブラシの突起物は中央が細く短く外側に向かう程太く長くなっている。
【請求項９】
上下別にできるマッサージブラシの突起物は中央が短く左右に行く程長くなる太さは同じである。
【発明の詳細な説明】
【技術分野】
【０００１】  この発明は口内の衛生・美容に関する手軽に習慣化出来る歯茎マッサージブラシである。
【背景技術】
【０００２】  従来の歯茎に関するものは、現実的には指に塩をつけてする方法しかなく、爪がフニャフニャになり手から腕へと塩水が流れ、衣服の袖口を汚したり、腕が痒くなったりするため、マッサージをしたい思いがあっても億劫になってしまう。【０００３】  歯ブラシで歯茎をマッサージすると後で痛い事になった。
【特許文献１】  特開平７−９６０１８歯茎マッサージャー
【特許文献２】  特開２０００−２４０６４歯茎マッサージ具
【特許文献３】  特開２００３−１８０７１８マウスピース型電動歯ブラシ
【発明の開示】
【発明が解決しようとする課題】
【０００４】  歯茎マッサージの習慣化【０００５】  歯槽膿漏・歯肉炎の予防【０００６】  指でのマッサージは爪をフニャフニャにして、衣服の袖を汚して腕も痒くなる。【０００７】  指でのマッサージ姿は人様に見せたくない。
【課題を解決するための手段】
【０００８】  本発明は歯ブラシと一緒に置き朝晩簡単に使用でき、かつ継続できる事を目的とした歯茎専用の形は歯ブラシに似たものである。【０００９】  指の感触に最も近いと思われるシリコーンゴム使用のため、デリケートな歯茎に接触又圧力がかかっても傷付ける事なく、指以上の爽快感を得られる結果マッサージ効果は大である。【００１０】  上下同時にマッサージできるマッサージブラシの突起物は、中央が細く短く外側に向かう程徐々に太く長くなっている。歯茎の多様な形態に添わせる為である。【００１１】  上下別にマッサージできるマッサージブラシの突起物は、中央が短く左右に向かう程長くなっている。太さは同じである。歯茎の多様な形態に添わせる為である。【００１２】  歯ブラシと似た形状だから、口内に指を入れる必要がない。
【発明の効果】
【００１３】  歯茎マッサージブラシは毎日継続することが容易である。結果、血行が良くなり、歯肉炎や歯槽膿漏等を予防する。【００１４】  歯茎が丈夫になると、良く噛む事が可能になり、脳の活性化又消化器系にまで良い効果が期待できる。【００１５】  口臭の軽減
【発明を実施するための最良の形態】
【００１６】  歯を上下合わせた状態で使用できるように、歯茎の上下・左右の丸味に添うよう中央が抉られた形態である。【００１７】  毎朝晩容易に使用できる歯ブラシに似た形である。【００１８】  口内に含む部分はシリコーンゴム、柄の部分はプラスティック、依って金型で大量生産が可能である。【００１９】  口内に含む部分はシリコンゴムの為、撥水性で乾燥も早く、手入れが簡単衛生的である。【００２０】  歯茎の健康状態に合わせてシリコーンゴムの硬さ又柄のプラスティックの硬さを、やわらか・普通・硬いの３種類を作る事で、大衆の人達に役立つ。【００２１】  前の歯茎用は上下別のほうが使い勝手が良いので、小さめサイズで横のみややカーブをつけた形状である。【００２２】  指の感触に最も近く、衛生的で安価で一般大衆が簡単に手に入れられる又指以上の満足感を得られ健康にも貢献できる発明品です。
【図面の簡単な説明】
【００２３】
【図１】  本発明の第２発明側面からの中央断面図
【図２】  同側面図
【図３】  同上からの正面図
【図４】  本発明の第３発明側面図
【図５】  同上からの正面図
【符号の説明】
【００２４】    Ａ  シリコーンゴムの土台
Ｂ  シリコーンゴムの突起物
Ｃ  突起物先端の丸み
Ｄ  プラスティック柄
【図１】
2007319631.tif 000003
【図２】
2007319631.tif 000004
【図３】
2007319631.tif 000005
【図４】
2007319631.tif 000006
【図５】
2007319631.tif 000007
(57)【要約】【課題】弾球遊技機において弾球遊戯機は盤面構成を変化させ興趣を高めることを目的とする。【解決手段】図柄表示装置１１３と、作動口列１１２とを備え、遊戯球が作動口列の一つの作動口に進入することにより、乱数抽出手段より乱数を抽出する。乱数に対応した遊戯釘１１５、普通賞口１１６、大入賞口１１７の配置および遊戯球の動作を図柄表示装置１１３の画面に表示する。遊技機の盤面の配置を変化させることにより、遊技者は長時間弾球遊技機を使用しても飽きることなく興趣を高めることとなる。【選択図】図１
2007319173.tif 000002
【特許請求の範囲】
【請求項１】
画面に遊戯釘、普通入賞口、大入賞口と遊戯球を表示する図柄表示装置と、
弾球が入ると前記図柄表示装置の図柄の変動表示を開始させるための作動口と、
を備え
前記作動口に遊戯球が入ると遊戯釘、普通入賞口、大入賞口の表示位置が変化することを特徴とする弾球遊戯機。
【請求項２】
前記作動口に遊戯球が進入したことを条件として乱数値を抽出する乱数抽出手段を備え、
前記乱数値によって遊戯釘、普通入賞口、大入賞口の表示位置を決定することを特徴とする請求項１に記載の弾球遊戯機。
【発明の詳細な説明】
【技術分野】
【０００１】
本発明は弾球遊技機、いわゆるパチンコ台に関するものである。
【背景技術】
【０００２】
従来の弾球遊技機は、遊戯盤面上の遊戯釘、作動口、大入賞口の配置を変えて興趣を高めている（例えば、特許文献１参照）。
【０００３】
図２は、上記特許文献１  に記載された従来の弾球遊戯機を示すものである。
【０００４】
図２において、１０は遊技盤であり、遊技盤１０には作動口１５、遊戯釘１６，１７、２４，大入賞口１９を遊戯盤面上に固定した配置をさせていた。
【０００５】
（外レール１１、内レール１２、遊技領域１３、戻り防止弁１４、風車１８、普通入賞口２０、大入賞装置（役物）２１，ゲート２２、普通図柄表示器２３、風車２６、普通入賞口２７、センターケース２８、液晶盤（図柄表示装置）２９、アウト穴３０の説明は省略する。）
【特許文献１】特開２００２−２１００９９号公報
【発明の開示】
【発明が解決しようとする課題】
【０００６】
しかしながら、上記従来の構成では、遊戯釘１６，１７、２４、大入賞口１９、２１の配置を台ごとに固定して変えられないので、遊技機の遊技者は長時間使用することで飽きてしまうという課題を有していた。
【０００７】
本発明は、上記従来の課題を解決するもので、遊戯釘、大入賞口の配置と弾球の動作を図柄表示装置に表示させて、遊戯釘、大入賞口の配置を画面上で変えることを可能とする弾球遊技機を提供することを目的とする。
【課題を解決するための手段】
【０００８】
上記従来の課題を解決するために、本発明の弾球遊技機は、
画面に遊戯釘、普通入賞口、大入賞口と遊戯球を表示する図柄表示装置と、
弾球が入ると前記図柄表示装置の図柄の変動表示を開始させるための作動口と、
を備え
前記作動口に遊戯球が入ると遊戯釘、普通入賞口、大入賞口の表示位置が変化することを特徴とする弾球遊戯機としたものである。
【０００９】
本構成によって、遊戯釘、大入賞口の配置を表示画面上で変化させることにより遊技者が長時間弾球遊技機を使用しても飽きることがなく興趣を高めることとなる。
【発明の効果】
【００１０】
本発明の弾球遊技機によれば、遊技者が長時間弾球遊技機を使用しても飽きることがなく興趣を高めることができる。
【発明を実施するための最良の形態】
【００１１】
以下本発明を実施するための最良の形態について、図面を参照しながら説明する。
【００１２】
（実施の形態１）
図１は、本発明の実施の形態１における弾球遊技機の正面図である。
【００１３】
図１において１１０は遊戯盤、１１１は遊戯釘、１１２は作動口列、１１３は図柄表示装置、１１４は図柄表示装置に表示された作動口、１１５は図柄表示装置に表示された遊戯釘、１１６は図柄表示装置に表示された普通入賞口、１１７は図柄表示装置に表示された大入賞口、１１８は図柄表示装置に表示されたアウト穴、１１９はアウト穴である。
【００１４】
以上のように構成された弾球遊技機について、図１を用いてその動作を説明する。
【００１５】
図柄表示装置１１３の上部に配置した作動口列１１２に遊戯球（パチンコ玉）が進入する。遊戯球が作動口に進入すると乱数抽出手段（遊技盤１１０内部にあって図示せず）としての主制御装置が乱数を抽出する。
【００１６】
乱数に対応する遊戯釘１１５、普通入賞口１１６，大入賞口１１７、作動口１１４の配置を図柄表示装置１１３の画面に表示する。遊戯球が進入した作動口列１１２の中の作動口に近い図柄表示装置１１３の画面に遊戯球が表示され画面上を移動し始める。画面上１１３に表示される遊戯釘１１５の中を遊戯球が移動して画面上の普通入賞口１１６、大入賞口１１７またはアウト穴１１９に進入する。
【００１７】
作動口列１１２に進入した実際の遊戯球は遊戯盤１１０内で処理され、作動口列１１２に進入しなかった遊戯球は落下してアウト穴１１９に入って同様に遊戯盤１１０内で処理される。
【００１８】
かかる構成によれば、遊戯釘、普通入賞口、大入賞口、作動口の配置を変化させることで遊技者が長時間弾球遊技機を使用しても飽きることがなく興趣を高めることができる。
【産業上の利用可能性】
【００１９】
本発明にかかる弾球遊技機は、遊技者が長時間弾球遊技機を使用しても飽きることがなく興趣を高めることが可能になるので、弾球遊技機、いわゆるパチンコ台等として有用である。
【図面の簡単な説明】
【００２０】
【図１】本発明の実施の形態１における弾球遊技機の正面図
【図２】従来の弾球遊技機の正面図
【符号の説明】
【００２１】
１０  遊技盤
１１  外レール
１２  内レール
１３  遊技領域
１４  戻り防止弁
１５  作動口
１６  命釘（遊技釘）
１７  遊技釘
１８  風車
１９、２１  大入賞口
２０  普通入賞口
２１  大入賞装置（役物）
２２  ゲート
２３  普通図柄表示器
２４  遊技釘列（遊技釘）
２６  風車
２７  普通入賞口
２８  センターケース
２９  液晶盤（図柄表示装置）
３０  アウト穴
１１０  遊戯盤
１１１  遊戯釘
１１２  作動口列
１１３  図柄表示装置
１１４  図柄表示装置に表示された作動口
１１５  図柄表示装置に表示された遊戯釘
１１６  図柄表示装置に表示された普通入賞口
１１７  図柄表示装置に表示された大入賞口
１１８  図柄表示装置に表示されたアウト穴
１１９  アウト穴
【図１】
2007319173.tif 000003
【図２】
2007319173.tif 000004
(57)【要約】【課題】本発明は電撃殺虫器の殺虫効果を増大する為の装置である。従来、電撃殺虫器でハエなどの害虫を捕るためには、本体に餌となる誘引剤を仕掛ける。この方法だと誘引剤、もしくは誘引剤を入れた容器の周辺だけに群がり、電撃格子に触れることは少ない。したがって、殺虫の効果が上がらなかった。【手段】ハエなどの害虫は、好む臭いが含まれていると、向かい風であっても飛び込んでいくという性質に着目し、誘引剤を含む風を電撃殺虫器の電撃格子の内側から外側に吹き出す送風機と、害虫の種類によって選択できる着脱式の誘引剤容器を設け、電撃殺虫器の効果を増大する装置を提供する。【選択図】図１
2007319154.tif 000002
【特許請求の範囲】
【請求項１】
誘引剤を含む風が送風機（５）の力により電撃格子（３）の内側から外側に吹き抜ける装置。
【請求項２】
誘引剤（７）を含む風が広範囲に拡散するように電撃格子の間（２）を吹き抜けるようにしたこと。
【請求項３】
殺虫しようとする害虫の種類により誘引剤を容器ごと取替え変えられるようにした誘引剤容器（８）
【発明の詳細な説明】
【発明の詳細な説明】
【技術分野】
【０００１】  この発明は、ハエなどの害虫が好みの臭いがあると向かい風であっても飛び込んでいくという性質に着目。誘引剤を含む空気を電撃殺虫器の電撃格子に吹き込み電撃殺虫する。電撃殺虫器の殺虫効果増大に関するものである。
【背景技術】
【０００２】従来、電撃殺虫器でハエなどの害虫を殺虫しようとする場合、その、底面に餌を置き、臭いで誘引する。しかし、ハエなどの害虫は餌の方角に敏感であるため、その、ほとんどは餌の入っている容器周辺に集まり、電圧のかかる電撃格子には接触しない。したがって、効果は限定的であった。
【発明が解決しようとする課題】
【０００３】従来の電撃殺虫器でハエなどの害虫を誘引剤により誘引しようとすると次のような問題があった。ハエなどの害虫は臭いの出ている方角を敏感に判別するので誘引剤及びその容器の周辺に群れ、電撃格子には接触しない。
本発明は、以上の問題点を解決するためになされたものである。
【課題を解決する手段】
【０００４】  ハエなどの害虫は好みの臭いがあると向かい風であっても、その方向に飛び込んでいくという性質に着目し、ハエなどの害虫の種類によって選択できる誘引剤（７）封入済みの誘引剤容器（８）を設ける。蒸散した誘引剤と空気を混合するための吸気口（６）を設ける。電撃殺虫器の電撃格子（３）の部分の内側から外側に誘引剤（７）を含む空気（２）を吹き出すための送風機（５）を設ける。本発明は以上の構成からなるハエなどの害虫の電撃殺虫器の効果を増大する装置である。
【発明の実地の形態】
【０００５】  以下、本発明の実地の形態を説明する。
（イ）誘引剤を封入した脱着式の容器（８）を設ける。
（ロ）誘引剤と空気を混合させるための吸入口（６）を設ける
（ハ）誘引剤を含む空気を電撃格子の内側から外側に吹き出すための送風機（５）を設ける。
本発明は以上の構成よりなる。
本発明を使用する場合はハエなどの害虫の好む誘引剤を封入した脱着式の容器（８）を選択し装着する。送風機（５）を回すことにより、広範囲に誘引剤を含む空気が拡散する。ハエなどの害虫は電撃格子（３）に直接誘導され通過、接触することにより感電死するようにしている。
【発明の効果】
【０００６】本発明を使用すると従来の電撃殺虫器に餌となる誘引剤をしかけるだけの捕獲方法と比較すると、誘引剤を含む風が遠くまで届くので、広範囲のハエなどの害虫を集めることができる。直接、電撃格子に誘い込むので殺虫効果を増大することができる。又、脱着式容器により簡単に誘引剤の種類を変えることができるので、選択した害虫を殺虫できる。
【図面の簡単な説明】
【図１】本発明の斜視図
【図２】本発明の要部拡大の正面図
【符号の説明】
（１）昇圧器（２）誘引剤を含む風（３）電撃格子（４）捕虫ランプ
（５）送風機（６）吸気口（７）誘引剤（８）誘引剤容器
【図１】
2007319154.tif 000003
【図２】
2007319154.tif 000004
(57)【要約】【課題】この発明は、具材がこぼれ落ちることなく、また最初に口に含んだ時は白飯の味で、噛み砕いた時は具材の味を味わえるおにぎりに関するものである。【解決手段】外側層は白飯、内側層は細かく刻むか細かくばらした具材を混ぜた飯の多層構造に構成しておにぎりにする。これにより食した時に具材がこぼれ落ちることは無く、また外観は従来のおにぎりと変わらないおにぎりとなる。【選択図】図１
2007319155.tif 000002
【特許請求の範囲】
【請求項１】
外側層に白飯、内側層に具材を混ぜた飯の多層構造に構成されたおにぎり。
【発明の詳細な説明】
【発明の詳細な説明】
【技術分野】
【０００１】  本発明は、層別に内容が違う多層のおにぎりに関するものであり、外側層は白飯で、内側層はご飯に具材を混ぜたおにぎりに関するものである。
【背景技術】
【０００２】従来のおにぎりは、中心付近に具材の固まりを入れた白飯のものか、炊き込み飯をおにぎりにしたものであった。そのために、
Ａ．中心付近に具材をいれたおにぎりは、具材のあるところまで食しないと具材を食べることは出来ず、また具材は白飯に包んだだけのために具材がこぼれ落ちる事もある。
Ｂ．炊き込み飯のおにぎりはその１種の味だけしか味わえなかった。
等々で、単調または具材がこぼれ落ちる不便さになっていた。
【発明が解決しようとする課題】
【０００３】  本案は、それらを解消して具材がこぼれ落ちる事が無く、また最初に口に含んだ時と噛み砕いた時の味が異なる新しいおにぎりの発明である。
【課題を解決する為の手段】
【０００４】  いま、その構成を説明すると、
（イ）外側層は白飯にする。
（ロ）内側層は、細かく刻むか細かくばらした具材を混ぜた飯にする。
（ハ）層は２層以上とする。
以上のように作成する。
【発明を実施するための最良の形態】
【０００５】  発明の実施の形態を図面について説明すれば、白飯▲３▼の外側層▲１▼と具材を混ぜた飯▲４▼の内側層▲２▼の多層構造にして作成する。【０００６】  内側層の体積はおにぎり全体の５分の１以上５分の４以下にする。【０００７】  おにぎりの形や大きさは規定しない。【０００８】  これにより従来の具材を中心付近に入れたものと異なり、おにぎりを食した時に具材がこぼれ落ちることは無い。【０００９】  内側層は具材を混ぜた飯の他に炊き込み飯でも構わない。【００１０】  外側層は白飯以外に内側層と異なる具材を混ぜた飯または炊き込み飯でも構わない。
【発明の効果】
【００１１】  本発明は、以上説明したように構成されているので、以下に記載されるような効果を奏する。
【００１２】  おにぎりを食した時に具材がこぼれ落ちることは無い。
【００１３】  内側層を食したとき、具材が飯に混ざった状態で口の中に広がる為に速やかに具材が味わえる。
【図面の簡単な説明】
【図１】おにぎり断面の模式図
【符号の説明】
▲１▼おにぎり外側層
▲２▼おにぎり内側層
▲３▼白飯
▲４▼具材を混ぜた飯
【図１】
2007319155.tif 000003
(57)【要約】【課題】雨靴（ブーツ）等の重量に比例し、安定した把捉力を有する吊り下げ保持具を提供する。【解決手段】摩擦抵抗素材から成る円環柔軟チューブＡを８の字形状に交差させ、その交差部ＢをリングＪ等で結束して出来る双輪にブーツの爪先と踵部を掛けて逆様に吊り下げ、その支点となるリングＪの位置移動によって対象物の重心及び傾斜を調整可能とし、保持チューブ（Ｅ，Ｆ）の摩擦抵抗力による把捉力と荷重方向とが相まって、その対象物の重量に比例した吊り下げ保持機能が安定発揮される。【選択図】図３
2007319188.tif 000002
【特許請求の範囲】
【請求項１】
柔軟性を有するゴム等の摩擦抵抗素材から成る円環チューブＡを８の字状に交差させ、形成される双方の輪（Ｅ，Ｆ）を掛け下げ用とした事を特徴とする。（図１参照）
【請求項２】
請求項１記載の交差部ＢをリングＪによってチューブＡが適度な抵抗を受けつつ相互に通過可能に結束し、双方の輪（Ｅ，Ｆ）を調整自在とした事を特徴とする。（図２参照）
【請求項３】
請求項２記載のリングＪを移動可能な吊り下げ支点とし、任意に対象物の重心及び傾斜の調整を可能とした事を特徴とする吊り下げ保持具。（図３参照）
【発明の詳細な説明】
【技術分野】
【０００１】
本発明は、雨靴（ブーツ）類及び運動靴（スニーカー）等の吊り下げ保持具に関する。
【背景技術】
【０００２】
運動靴（スニーカー）や雨靴（ブーツ）及びウェーダー（胴つき長靴）・作業用タビ等を吊り下げて干す場合、逆様に爪先より踵部を低くした水切り角度で吊るす必要があり、又、濡れて増大した対象物の重量に比例する把捉能力や、サイズへの安定対応が要求される。しかし、「他の洗濯物に比較して日常的にその頻度が少ない」といった事情から、それらの必要機能を十分に満たした用具が少なく、通常は単に逆様に立て掛けるか棒状の突起物に差し込んで置くかの方法が多く取られている。しかし、この様な従来の方法では何れの場合も水切り機能が不十分であり、設置状態も不安定で乾燥に関する方法としての信頼度は極めて低く、より確実な乾燥を求めて逆吊りに干す必要が生じた場合は不都合を感じる事が多かった。
又、長期保管の際に従来の正立吊り下げのブーツハンガーを使用した場合、埃やゴミ等の流入防止用の詰め物により通気性が損なわれる等の不満があった。
【０００３】
そこで、特開２００２−０５９６２２等に見られる様に、足首部をベルトで結束して吊り下げる方法で課題解消の考案がなされ、その技術開示がなされている。
しかし、このような胴付き長靴（ウェーダー）への対応を主眼とした考案技術では、スニーカーや作業用タビなどの足首部分が布製等で柔軟なブーツの場合、吊り下げ用平ベルトによる結束保持の形状によっては、逆さになった甲部分の水切れが悪く水分が滞留する事になる。
また、平ベルトを多用しての結束では被服部分が多く乾燥が遅くなる事に加え、その都度に発生するベルト結束調整に要する煩雑さなどの新たな問題を残す恐れが有る。
【発明の開示】
【発明が解決しようとする課題】
【０００４】
そこで本発明では、ブーツ類のあらゆるタイプへのサイズ対応が可能で、その吊り下げ重量に比例した把捉力を発揮しながら、簡単な使用方法をもって爪先より踵部を低くした水切り角度を確保しつつ安定した逆さ吊り機能を有し、不要時の収納形状もコンパクトでアウトドア等の携帯に便利なブーツ類等の吊り下げ保持具を提供する。
【課題を解決するための手段】
【０００５】
請求項１記載のゴムなどの摩擦抵抗素材から成る円環状の柔軟チューブＡを、８の字状に交差させて出来る輪（Ｅ、Ｆ）に爪先と踵がそれぞれ掛かる双輪形状とする。
更に、請求項２で記載する交差部ＢをＳ字リングＪ等にて柔軟チューブＡが適度な抵抗を受けつつ通過可能となるように結束し、双方に出来る輪（Ｅ、Ｆ）のバランスと吊り下げ支点のリングＪ位置を任意に変更する事で、様々なタイプ及びサイズへの対応と吊り下げ対象物の重心移動及び傾斜調整が可能となる。（図２参照）
【０００６】
よって図３に示すように使用の際は、ブーツＣの爪先より踵部が低くなる様に吊り支点リングＪの位置調整を行い、双方の輪（Ｅ、Ｆ）にそれぞれを逆様に掛け下げる仕様となる。その際、加わる摩擦抵抗によって柔軟チューブの双輪（Ｅ，Ｆ）に捩れが生じ、その捩れの反発作動でチューブ（Ｅ，Ｆ）の把捉力が増強される事と荷重方向とが相まって、適正な水切り角度を維持しつつその重量に比例した吊り下げ保持機能が安定発揮される。
【０００７】
さらに、ウェーダ（胴付き長靴）や他のブーツ類に求められる長期収納時の形状維持が必要な場合においても、本考案の逆さ吊り保持具により形状維持と通気性を有した理想的な安定保管が可能となる。
【発明の効果】
【０００８】
本発明は、特に足首部が布製等で柔軟かつ不定形なブーツやスニーカー、及び重量のある作業用足袋やウェーダー（胴つき長靴）等について、それらの乾燥に不可欠な水切り角度を有する逆さ吊り下げ保持具として、その安定機能が発揮される。
本考案の吊り下げ保持具は柔軟チューブで構成されている事により吊り下げ時に対象物を傷める事が無く、又、使用時に受ける風等の全方位的外力に対しても柔順な抵抗を示し、常に安定した吊り下げ保持機能を持続する。
尚、不要時は不定形コンパクトに収納可能でアウトドア等の携帯時に利便性を発揮する。
【発明を実施するための最良の形態】
【０００９】
本発明の吊り下げ保持具を様々なタイプ及びそのサイズへの適応を可能とする為に、請求項１記載の摩擦抵抗素材から成る円環柔軟チューブＡの全長と太さ及びその柔軟強度等を、少なくとも大強小弱の大人用と子供用（Ｌ、Ｓ）との二種類に大別したアイテムを要する。又、結束リングＪをステンレス製とする事や柔軟チューブＡに必要程度の対荷重及び耐候性等、有効機能の持続と品質安定はその素材選定に左右される。
【図面の簡単な説明】
【００１０】
【図１】円環柔軟チューブの交差イメージ図である。
【図２】交差部のリング結束イメージ図である。
【図３】逆さ吊り下げのイメージ図である。
【符号の説明】
【００１１】
Ａ  摩擦抵抗柔軟チューブ
Ｂ  チューブ交差結束部
Ｃ  ブーツ類吊り下げ対象物
Ｅ  把捉チューブ輪
Ｆ  把捉チューブ輪
Ｊ  結束リング及び吊り下げ支点
【図１】
2007319188.tif 000003
【図２】
2007319188.tif 000004
【図３】
2007319188.tif 000005